(57)【要約】    【課題】  被検体の形状に合わせるのが容易で、情報量も多くする。    【解決手段】  ２つのホルダー部品２をそれぞれの１つずつの穴４を重ね、その重ねられた穴４にソケット６を挿入し、ナット８で取り付ける。複数のホルダー部品２を連結して網状体を形成する。ソケット６には送光プローブ又は受光プローブ１０が装着されている。ソケット６とナット８のネジ締めの調節によって、複数個のホルダー部品２を結合した部分での測定対象物表面の接平面内の角度は任意に調節でき、ホルダー部品２は可撓性をもっているので、頭部の曲率にあわせてホルダーを変形させて装着する。    【選択図】  図２
2004313741.tif 000002
【特許請求の範囲】
【請求項１】
複数の素子を保持して測定部位に装着するためのホルダーであって、
前記素子を１つずつ保持するソケットと、一対の前記ソケットを一定の間隔で支持するとともに、支持したソケットにより相互に連結されるホルダー部品とを含み、複数の前記ホルダー部品が前記ソケットにより測定対象物表面の接平面内で回動可能に連結され、かつ測定対象物表面の法線方向に対する前記ホルダー部品の角度が可変になった網状体を構成したものであることを特徴とするホルダー。
【請求項２】
前記ホルダー部品は可撓性をもち、一定の間隔であけられた２つの穴をもち、前記ソケットは前記穴に挿入されてホルダー部品間を測定対象物表面の接平面内で回動可能に連結するものである請求項１に記載のホルダー。
【請求項３】
前記ホルダー部品は両端に球状体を備え、前記ソケットは側面に前記球状体を嵌めこみその球状体のまわりに回転可能に支持される複数の凹部を備えたものである請求項１に記載のホルダー。
【請求項４】
前記ソケットは前記ホルダー部品を回動不能に固定する固定機構を備えている請求項１から３のいずれかに記載のホルダー。
【請求項５】
前記ソケットとホルダー部品により構成している四辺形の対角線方向にその対角線の長さを規定する対角部材をさらに備え、その対角部材も前記ソケットにより前記ホルダー部品に連結されている請求項１から４のいずれかに記載のホルダー。
【請求項６】
前記ソケット用の穴が３以上配置された長辺部材を少なくとも２つ備え、それらの長辺部材の穴には前記ソケットによって前記ホルダー部品又は他の長辺部材が連結されている請求項１から５のいずれかに記載のホルダー。
【請求項７】
このホルダーを構成する全ての部材が非磁性材料から構成されている請求項１から６のいずれかに記載のホルダー。
【請求項８】
前記ホルダーを人体の頭部に固定する装着具を備え、前記装着具は頭部に巻きつけられるベルトと、前記ホルダーの端部を前記ベルトに着脱可能に固着する固着部品とを備えている請求項１から７のいずれかに記載のホルダー。
【請求項９】
請求項１から８のいずれかに記載のホルダーと、
前記ソケットに保持された前記素子としての送光プローブと受光プローブとを備え、
前記送光プローブは送光部から生体の測定部位に測定光を照射するように構成され、前記受光プローブは前記送光プローブにより照射された測定光による測定部位からの透過散乱光を受光するように対応づけられている光生体測定装置。
【発明の詳細な説明】
【技術分野】
【０００１】
本発明は素子を生体に装着するためのホルダーと生体内の血液動態変化を計測する酸素モニターなどの光生体測定装置に関し、光生体測定装置としては特に生体に測定光を照射する複数の送光プローブと測定部位からの透過散乱光を受光する複数の受光プローブとを備えたマルチチャンネルの光生体測定装置に関する。
【背景技術】
【０００２】
生体に近赤外光を照射し、生体内部で吸収又は散乱した後、生体内部から出てくる光を受光し、酸素化ヘモグロビンと脱酸素化ヘモグロビンとのスペクトルの相違を用いて、酸素化ヘモグロビンや脱酸素化ヘモグロビンの相対変化や絶対量を無侵襲により測定する酸素モニターが知られている。
【０００３】
また、この酸素モニターの検出器を複数個に増やし、検出器を二次元的に配置することによって、画像出力又は画像に近似した出力を得るものも発売されている。これらは、マルチチャンネル酸素モニターと呼ばれている。
【０００４】
マルチチャンネル酸素モニターでは、送光部と受光部に接続されたプローブ（光ファイバーの先端部分）を所定の配列で被検体に接触させるために、ホルダーとよばれる装着具が使用される。人間の頭部を測定するマルチチャンネル酸素モニターでは、このホルダーとして頭部の装着部位の形状に合わせて成型されたものが使用されている。成型ホルダーにはプローブを固定する穴が複数個設けられ、送光部、受光部のプローブがそれらの穴に装填されることによって、それらのプローブ間隔が一定となり、反射光はその位置での特定の深度の情報を得ることが保証される。それらのプローブの間隔はチャンネルと呼ばれ、一般にチャンネル長さが３ｃｍの場合は、チャンネルの中点からの深度１．５ｃｍ〜２ｃｍの情報が得られると考えられている。これは、その位置での脳表部位にほぼ対応し、脳活動に関係した情報が得られる。
【０００５】
しかしながら、頭部の曲率は男女差、年齢差、個人差によって異なるために、成型ホルダーは、必ずしも被検体に一致せず、ホルダーが頭部に密着しないことが生じる。その結果、プローブの先端が頭皮から浮くことによってデータが得られなくなることがある。また、たとえ、プローブの先端を伸ばして、頭部と密着できるようにできたとしても、送光プローブの先端と受光プローブの先端の間隔が変化してしまうことによって正確なデータが得られなくなる。
【０００６】
一般に、送光プローブや受光プローブの位置が固定されたホルダーでは、曲率の異なる球面に配置することはできない。
光による計測装置で、被検体の広い領域を計測し、かつ、被検体毎に形状の差異がある場合においても容易に対応可能にするものとして、各光ファイバが保持されている保持部を被検体表面に格子状に配置し、これら各光ファイバ保持部を互いに所定の範囲内で伸縮性を示す連結部で連結し、さらに、この連結部は、ある所定の角度内での回転可変性を有するようにしたホルダーを使用することが提案されている（特許文献１参照。）。
【０００７】
しかし、その提案のように、ホルダーを頭部に密着させるために伸縮性のある部材を用いた場合は、ホルダーに応力をかけることによって、近似的に球面上に配置させることが可能となるが、応力ひずみによって送光プローブと受光プローブの間隔、すなわちチャンネル長さも変化してしまい、正確な測定ができなくなってしまう。
【０００８】
そのような問題を解決する１つの方法として、ホルダーに替わるものとして、複数のプローブを保持する可撓性シェル部を用い、そのシェル部として中央部のプローブを１つの方向に連結し、連結されたこれらのプローブの連結軸に直角方向に連結軸から両側に延びた複数の枝状部を有し、それらの枝状部に他のプローブを保持するものが提案されている（特許文献２参照。）。
【特許文献１】特開２００２−１４３１６９号公報
【特許文献２】特開２００１−２８６４４９号公報
【発明の開示】
【発明が解決しようとする課題】
【０００９】
その提案されたシェル部においては、そのシェル部を頭部にあてて頭部の形状に合わせるように変形させると、シェル部の材質として伸縮性がなければ、同じ枝状部に保持されたプローブ間の間隔は一定に保持されるが、異なる枝状部に保持されたプローブ間の間隔は変化する。そのため、送光プローブとその送光プローブからの測定光による透過散乱光を受光する受光プローブとの対で構成されるチャネルは、同じ枝状部内でしか構成することができないことになる。そのため、配置される送光プローブと受光プローブの数に対して得られる情報量が少なくなるという問題がある。
【００１０】
そこで、本発明の第１の目的は、被検体の形状に合わせるのが容易なホルダーを提供することである。
本発明の第２の目的は、そのホルダーを用いて光生体測定装置を実現することである。
【課題を解決するための手段】
【００１１】
本発明のホルダーは、複数の素子を保持して測定部位に装着するためのホルダーであって、前記素子を１つずつ保持するソケットと、一対の前記ソケットを一定の間隔で支持するとともに、支持したソケットにより相互に連結されるホルダー部品とを含み、複数の前記ホルダー部品が前記ソケットにより測定対象物表面の接平面内で回動可能に連結され、かつ測定対象物表面の法線方向に対する前記ホルダー部品の角度が可変になった網状体を構成したものである。
【００１２】
一例では、ホルダー部品は可撓性をもち、一定の間隔であけられた２つの穴をもち、前記ソケットは前記穴に挿入されてホルダー部品間を測定対象物表面の接平面内で回動可能に連結するものである。
他の例では、前記ホルダー部品は両端に球状体を備え、前記ソケットは側面に前記球状体を嵌めこみその球状体のまわりに回転可能に支持される複数の凹部を備えたものである。
【００１３】
前記ソケットは前記ホルダー部品を回動不能に固定する固定機構を備えているものとすることができる。
前記ソケットとホルダー部品により構成している四辺形の対角線方向にその対角線の長さを規定する対角部材をさらに備え、その対角部材も前記ソケットにより前記ホルダー部品に連結されているものとすることもできる。
【００１４】
前記ソケット用の穴が３以上配置された長辺部材を少なくとも２つ備え、それらの長辺部材の穴には前記ソケットによって前記ホルダー部品又は他の長辺部材が連結されているようにすることもできる。
このホルダーを構成する材質は特に限定されるものではないが、用途によっては全ての部材が非磁性材料から構成されていることが好ましいことがある。
【００１５】
さらに、前記ホルダーを人体の頭部に固定する装着具を備え、前記装着具は頭部に巻きつけられるベルトと、前記ホルダーの端部を前記ベルトに着脱可能に固着する固着部品とを備えているものとすることもできる。
【００１６】
本発明の光生体測定装置は本発明のホルダーを用いたものであり、ソケットに保持された素子としての送光プローブと受光プローブとを備え、送光プローブは送光部から生体の測定部位に測定光を照射するように構成され、受光プローブは前光プローブにより照射された測定光による測定部位からの透過散乱光を受光するように対応づけられているものである。
【００１７】
送光プローブを原点とし、受光プローブの位置を極座標変数（ｒ，θ，φ）（ここで、ｒは送光プローブと受光プローブの間隔、θは測定対象物表面を球面と近似したときのその球面の法線方向への角度、φはその球面の接平面内での角度とする）で表したとき、送光プローブと受光プローブの距離ｒだけが一定で、θ，φを自由に動くことが可能なホルダーが作成できれば、曲率の異なる球面に配置することが可能になる。実際、受光プローブは点ではなく、ある大きさを持っているので、更に３つの自由度が存在する。この自由度は、プローブの方向を規定しプローブが曲面の接平面に垂直に配置されることが望ましい。この３つの自由度の内、２つは前記θ，φで代用できると考えられるので、結合部位で、軸方向の回転も可能にする機構が更に付け加えられることが望ましい。
【発明の効果】
【００１８】
本発明のホルダーによれば、複数の前記ホルダー部品がソケットにより測定対象物表面の接平面内で回動可能に連結され、かつ測定対象物表面の法線方向に対するホルダー部品の角度が可変になった網状体を構成したものであるので、曲率の異なる様々な部分をもった頭部に対して、安定した密着が可能となる。
【００１９】
ソケットがホルダー部品を回動不能に固定する固定機構を備えている場合には、頭部の曲率を近似した状態を、固定機構で固定することにより、曲率がくずれず、その形状を保持することが可能となる。そのため、プローブの装着と動き等による外的な力で、その形状が変形せず、密着度に優れたホルダーとなり、これに光生体測定装置に適用すると、測定対象物の動きに強く、S／N（信号対ノイズ）比の高いデータが得られる。
また、測定対象者ごとにホルダーの形状を固定しておけば、時間をあけて行なう測定においても同じ位置で測定できるようになってデータの比較を精度よく行なうことができるようになる。
【００２０】
ソケットとホルダー部品により構成している四辺形の対角線方向にその対角線の長さを規定する対角部材をさらに備え、その対角部材もソケットによりホルダー部品に連結されているように構成した場合には、ホルダー部品と対角部材により３辺の長さが規定された三角形を構成するため、各ソケットの位置（光生体測定装置に適用した場合には送光プローブと受光プローブの位置）が曲面に応じて、一意に定まる。このように、ホルダーが任意曲面に適合し、かつ各ソケットの位置が一意に決定される結果となるため、再現性のあるデータが得られるようになる。更に、外乱光を遮蔽する効果も得られるため、より安定したデータが得られる。
【００２１】
ソケット用の穴が３以上配置された長辺部材を少なくとも２つ備え、それらの長辺部材の穴にはソケットによってホルダー部品又は他の長辺部材が連結されているようにした場合にも、任意曲面に適合し、かつ各ソケットの位置が一意に決定される結果となるため、再現性のあるデータが得られるようになる。
【００２２】
このホルダーを構成する全ての部材が非磁性材料から構成されている場合には、ＮＭＲ（核磁気共鳴断層像撮影）のように磁気を使用する測定にも対処できるようになる。そのような用途としては、例えば各ソケットに素子として磁気により発光するようなものをマーカーとして取り付け、ＮＭＲ撮影を行なうことを挙げることができる。そのような撮影により、ＮＭＲ像中に頭表位置を示すことができる。
【００２３】
ホルダーを人体の頭部に固定する装着具を備え、その装着具は頭部に巻きつけられるベルトと、ホルダーの端部をそのベルトに着脱可能に固着する固着部品とを備えている場合には、このホルダーを頭部に安定して装着することができるようになり、このホルダーを光生体測定装置に用いると測定精度が向上する。
【００２４】
本発明のホルダーを備えた光生体測定装置では、送光プローブと受光プローブの間隔が常に−定に保たれるため、すべてのチャンネルで、Ｓ／Ｎ比の高く、正確な、再現性の高いデータが得られる。また、乳児から大人まで、個人差のある様々な頭部形状に対しても対応が可能となる。
【発明を実施するための最良の形態】
【００２５】
ホルダー部品の一例は可撓性をもち一定の間隔であけられた２つの穴をもつものである。その場合のソケットは、その穴に挿入されてホルダー部品間を測定対象物表面の接平面内で回動可能に連結するものである。
【００２６】
この形態では、ホルダー部品の２つの穴の間隔がチャンネルであり、その長さが上記のｒである。ホルダー部品は可撓性をもっているので、球面の法線方向への角度θを自由に変えることができる。また、ホルダー部品はソケットにより測定対象物表面の接平面内で回動可能に連結されているので、接平面内での角度φも自由に変えることができる。
【００２７】
ホルダー部品の他の形態は、両端に球状体を備えたものである。その場合のソケットは、側面にホルダー部品の球状体を嵌めこみその球状体のまわりに回転可能に支持される複数の凹部を備えたものである。例えば、送光プローブと受光プローブを装着するソケット間が可擁性も伸縮性をもたないホルダー部品で結合され、その結合部が肩の球関節のように、曲面の接平面内での角度、曲面の法線方向への角度及びプローブの軸方向への角度のいずれにも回転する動きを可能とする回転機構をもち、それらのホルダー部品がソケットにより複数個が連結されたものである。
【００２８】
この形態では、ホルダー部品の両端の球状体間の間隔がチャンネルであり、その長さが上記のｒである。ホルダー部品の球状体とソケットの凹部とは球状体のまわりに回転可能に結合されているので、球面の法線方向への角度θも、球面の接平面内での角度φも、プローブの軸方向への角度も自由に変えることができる。
【００２９】
さらに好ましい形態では、ホルダーを人体の頭部に固定する装着具を備えている。その装着具は頭部に巻きつけられるベルトと、ホルダーの先端部をベルトに着脱可能に固着する固着部品とを備えているものである。そのようなベルトと固着部品としては、フックとループとからなる面ファスナーが好ましい。
【００３０】
ホルダーを構成する材質は特に限定されるものではないが、伸縮性をもたないことが必要であり、例えばポリプロピレン、ポリ塩化ビニル、ポリアセタールなどが好ましい。また、これらの樹脂は非磁性でもある。
【００３１】
次に、実施例について図面を参照して具体的に説明する。
図１に一実施例に必要な部品を示す。２はホルダー部品であり、両端にソケットが嵌めこまれる穴４，４が開けられている。ホルダー部品２は幅２ｃｍ、厚さ０．１ｍｍのポリプロピレン製であり、伸縮性はもたず、厚さ方向にだけ可撓性をもっている。穴４，４間の距離はチャンネル長さであり、例えば、その長さは３ｃｍである。
【００３２】
６は送光プローブと受光プローブを１つずつ装着して保持するメス型ソケットであり、内側に送光プローブと受光プローブが螺合されるメスネジが設けられている。ソケット６の外側にもネジが設けられており、ホルダー部品２の穴４に挿入された状態で、そのネジにナット８が螺合される。
【００３３】
ソケット６の外側のネジとナット８は固定機構の一例であり、ソケット６とナット８の間に２つのホルダー部品を挟み、ソケット６とナット８を締め付けることにより２つのホルダー部品の間の角度を固定することができる。
１０は送光プローブ又は受光プローブである。送光プローブと受光プローブは同じ外形形状に形成されており、ソケット６に螺合されて装着される。
【００３４】
図２は２つのホルダー部品２をそれぞれの１つずつの穴４を重ね、その重ねられた穴４にソケット６を挿入し、ナット８で取り付けた状態を表わしている。ソケット６には送光プローブ又は受光プローブ１０が装着されている。
【００３５】
ソケット６とナット８との間の締付けを緩くすると２つのホルダー部品２が回動可能になって２つのホルダー部品２のなす角度を調節することができる。またソケット６とナット８との間の締付けを強くすると２つのホルダー部品２が固定されてその間の角度が固定され、ソケット６、ナット８及びホルダー部品２で構成されるホルダー全体の形状が固定される。
【００３６】
このようにして複数のホルダー部品２を連結して後述の図４に示すように、網状体を形成する。このとき、ソケット６とナット８のネジ締めの調節によって、複数個のホルダー部品２を結合した部分での測定対象物表面の接平面内の角度は任意に調節できる。
【００３７】
また、この測定対象物表面の接平面内での角度をステップ毎に調整できるようにするために、ホルダー部品２の穴４の内側の周囲に小さな凹部を設け、その穴４の内側と接触するソケット６の側面に小さなボール機構を組み込んだものとしてもよい。
【００３８】
図３に、ホルダー部品２、ソケット６及びナット８を用いて構成した実施例のホルダー１２を示す。本実施例では、各ソケット６を四角形の格子上にならべている。これらのソケットには送光プローブと受光プローブが交互に装着され、隣り合う送光プローブと受光プローブ間がチャンネルとなって、各チャンネルで吸光度が測定される。よって、この例では、４０チャンネルとなる。
【００３９】
図４に、このように網状に構成されたホルダー１２を頭部に適用した例を示す。頭部の球面は、正方格子では近似できず、ある点を基準にして、そこから離れるにしたがって、ひずみが大きくなっていく。本実施例では、ホルダー部品２の可撓性により球面の法線方向への角度θ方向への動きを可能とし、ホルダー部品２がソケット６により測定対象物表面の接平面内で回動可能に連結されているので、接平面内での角度φ方向の動きも可能なため、球面にそって正方格子を変形させることができ、ソケット６に装着されたプローブをどのような球面に対しても密着させることが可能となる。
【００４０】
図４のように頭部に装着した状態でソケット６とナット８の間を締め付けることにより、ホルダー１２の形状を固定することができる。その固定された形状はその測定対象者に固有の形状であるため、このホルダーを頭部から取り外し、再度装着して測定する場合にも同じ測定位置で測定できるようになる。
【００４１】
図３のように、格子状にホルダーを組み立てた場合、曲率がない平面では格子の内角の和は常に３６０度となる。しかし、可撓性をもつホルダー部品２によって頭部のような曲面に沿うように変形が加えられた場合、格子の内角の和は３６０度とはならない。通常、３６０度よりも大きくなる。よって、この状態で、ホルダー部品２の結合部分が固定されると、もはや平面には戻れず、その曲率が保持される結果となる。三角形状にホルダー部品を構成した場合は、内角の和が１８０度からずれることによって、その曲率が保持されることになる。
【００４２】
図４にはまた、ホルダー１２を頭部に固定する装着具も示されている。その装着具は、頭部に巻きつけられるベルト１４と、ホルダー１２の先端部をベルト１４に着脱可能に固着する固着部品１６とを備えている。ベルト１４と固着部品１６とは、フックとループとからなる面ファスナーである。
【００４３】
このように、頭部に巻きつけられるベルト１４にホルダー１２を固定できるため、例えばあごでベルトをかけてホルダーを固定する装着具に比べると、あごを動かして脳の血流を測定するような測定においてもプローブの位置があごの動きに影響されずに正確な測定が可能になる。
【００４４】
本発明は、ホルダーの結合部分を変形可能としていることが特徴であり、結合機構や部品の並ぺ方の結合形態を規定するものではない。図３の実施例では、四角形の格子上にソケット６を並べる結合形態を用いたが、三角形の格子上にソケット６を並ペる結合形態を用いてもよい。
【００４５】
図５は他の実施例のホルダー部品とソケットを示したのである。この実施例では、ホルダー部品２０は両端に球状体２２，２２を備えた硬質樹脂製であり、伸縮性も可撓性も備えていない。ソケット２４は側面に球状体２２を嵌めこみその球状体２２のまわりに回転可能に支持される複数の凹部２６を備えたものである。このソケット２４の凹部２６とホルダー部品２０の球状体２２との結合は、例えば、肩の球関節のように、曲面の接平面内での角度、曲面の法線方向への角度、及びソケット２４に装着されるプローブの軸方向（図５（Ｂ）に鎖線で示されている。）への角度に回転する動きを可能とする。
ソケット２４によりホルダー部品２０を連結することにより、図３に示されるような網状体や、その他の網状体からなるホルダーを構成すことができる。
【００４６】
図５のソケット２４にも凹部２６に嵌め込まれた球状体２２の回転を止める固定機構を設けることができる。そのような固定機構としては、ソケット２４の表面から凹部２６につながるネジ孔を設け、そのネジ孔のネジを螺合してそのネジの先端で球状体２２を押して固定するものを挙げることができる。
【００４７】
図６はさらに他の実施例を示しており、図３に示したホルダー１２のソケット６とホルダー部品２により構成している四辺形の格子の対角線方向にその対角線の長さを規定する対角部材３０をさらに備えたものである。その対角部材３０も両端に穴をもち、その穴とホルダー部品２の穴を重ねてソケット６により連結している。一例としては、対角部材３０の穴間の長さは格子の一辺の長さの√２倍となるように構成されるが、対角部材３０の穴間の長さは格子の一辺の長さの√２倍だけではなく、このホルダーにより構成しようとする曲率に応じてそれよりも長いものも短いものも用意しておく。
【００４８】
このように対角部材３０を格子の対角方向に取り付けることにより、ホルダーに含まれる四辺形の格子が３辺の長さが規定された三角形から構成されることになるため、各ソケット６の位置（送光プローブと受光プローブの位置）が曲面に応じて、一意に定まることとなる。更に説明を加えると、構成された三角形の内角の和が、１８０度の場合は、平面状に適合される結果となり、三角形の内角の和が１８０度より大きくなるにしたがって、その曲率の程度に応じた凸曲面に適合される結果となる。逆に三角形の内角の和が１８０度より小さい場合は、凹曲面に適合される結果となる。
そして、対角部材３０を用いてホルダーの形状を測定対象物に適合させた場合にも、ソケット６とナット８を締め付けることによりホルダーの形状を固定することができる。
【００４９】
図７はさらに他の実施例を示しており、ソケット用の穴が３以上配置された長辺部材４０ａ，４０ｂを少なくとも２つ備え、それらの長辺部材４０ａ（４０ｂ）の穴にはソケット６によってホルダー部品２又は他の長辺部材４０ｂ（４０ａ）が連結されている。ここでは２つの長辺部材４０ａ，４０ｂが用いられている。
【００５０】
２つの長辺部材４０ａ，４０ｂは互いに交差して結合され、互いの角度が変化しないように固定されていることによって、２つの回転不能な軸（４０ａと４０ｂ）が導入されている。ホルダー部品２は、ソケット６間をつなぐ長さの部材から構成されているのに対し、長辺部材４０ａ，４０ｂは３つ以上のソケット６にまたがる長さの部材から構成されている。実施例では、７つのソケット６にまたがる長さの長辺部材４０ａ，４０ｂが用いられている。長辺部材４０ａ，４０ｂの交点でのなす角度が９０度である必要はなく、また、長辺部材４０ａ，４０ｂ直線状である必要もない。
【００５１】
これらの２つの長辺部材４０ａ，４０ｂの交点での角度と長辺部材４０ａ，４０ｂ上のソケット６の位置が規定されているため、長辺部材４０ａ，４０ｂの交点の位置（例えば、脳波計の電極の配置法である国際式１０／２０法におけるＣｚの位置）が決定されれば、これらの長辺部材４０ａ，４０ｂ上のソケット６の位置も決定されることになる。よって、このホルダーが適合される曲面が決定されれば、各長辺部材４０ａ，４０ｂ上の交点に隣接するソケット６の位置から、符合４２−１〜４２−４で示されるソケット６の位置が決定される。そして、それらの位置４２−１〜４２−４が決定されると、それらの位置４２−１〜４２−４の隣のソケット６の位置は、ホルダー部品２の長さによって規定されているので、次々とソケット６の位置が決定されることになる。このようにして、曲面が決定されることにより、一意にソケット６の位置が決定される。
【産業上の利用可能性】
【００５２】
本発明のホルダーは光生体測定装置をはじめ、生体上の所定の位置にフローブなどの素子を位置決めするのに利用することができる。
【図面の簡単な説明】
【００５３】
【図１】一実施例における部品を示す図であり、（Ａ）はホルダー部品を示す平面図、（Ｂ）はソケットを示す斜視図、（Ｃ）はナットを示す斜視図、（Ｄ）はプローブ示す斜視図である。
【図２】（Ａ）はホルダー部品をソケットで連結した状態を示す平面図、（Ｂ）はその連結部の断面図である。
【図３】構成したホルダーの一実施例を示す平面図である。
【図４】図３のホルダーを頭部に装着した状態を示す正面図である。
【図５】他の実施例における部品を示す図であり、（Ａ）はホルダー部品を示す平面図、（Ｂ）はソケットを示す斜視図である。
【図６】さらに他の実施例のホルダーを示す平面図である。
【図７】さらに他の実施例のホルダーを示す平面図である。
【符号の説明】
【００５４】
２，２０      ホルダー部品
４      ホルダー部品の穴
６，２４      メス型ソケット
８      ナット
１０      送光プローブ又は受光プローブ
１２      ホルダー
１４      ベルト
１６      固着部品
３０      対角部材
４０ａ，４０ｂ      長辺部材
【図１】
2004313741.tif 000003
【図２】
2004313741.tif 000004
【図３】
2004313741.tif 000005
【図４】
2004313741.tif 000006
【図５】
2004313741.tif 000007
【図６】
2004313741.tif 000008
【図７】
2004313741.tif 000009